(57)【要約】【課題】乳幼児の頭部等を適切に保護し、かつ、快適性の高い乳幼児保護具を提供する。【解決手段】乳幼児保護具Ｓは、乳幼児の背中に当てられる背当て部１１と、背当て部１１に対して回動自在であり、乳幼児の後頭部を保護する後頭部保護部１２と、を有する保護体１と、保護体１を乳幼児に背負わせるための左右一対の背負紐２Ｌ，２Ｒと、背負紐２Ｌ，２Ｒに設置され、背負紐２Ｌ，２Ｒの長さを調整するための長さ調整具３Ｌ，３Ｒと、を備え、背負紐２Ｌ，２Ｒは、一端Ｐが背当て部１１に設置され、他端Ｑが後頭部保護部１２に設置され、背当て部１１には孔Ｈが設けられている。【選択図】図１
0003195113.tif 000002
【実用新案登録請求の範囲】
【請求項１】
乳幼児の背中に当てられる背当て部と、
前記背当て部に対して回動自在であり、乳幼児の後頭部を保護する後頭部保護部と、を有する保護体と、
前記保護体を乳幼児に背負わせるための左右一対の背負紐と、
それぞれの前記背負紐に設置され、前記背負紐の長さを調整するための長さ調整具と、を備え、
それぞれの前記背負紐は、一端が前記背当て部に設置され、他端が前記後頭部保護部に設置され、
前記背当て部には、一つ又は複数の孔が設けられていること
を特徴とする乳幼児保護具。
【請求項２】
前記後頭部保護部の左右両側に設置され、乳幼児の側頭部を保護する左右一対の側頭部保護部を備えること
を特徴とする請求項１に記載の乳幼児保護具。
【請求項３】
前記後頭部保護部と、前記側頭部保護部と、がなす角は、９０°よりも大きいこと
を特徴とする請求項２に記載の乳幼児保護具。
【請求項４】
前記背当て部の上端付近に設置され、前記背負紐が挿通される左右一対の被挿通部を備え、
左側の前記被挿通部には、左側の前記背負紐が挿通され、
右側の前記被挿通部には、右側の前記背負紐が挿通されること
を特徴とする請求項１から請求項３のいずれか一項に記載の乳幼児保護具。
【請求項５】
左側の前記被挿通部と、右側の前記被挿通部と、の距離は、４ｃｍ以上かつ８ｃｍ以下であること
を特徴とする請求項４に記載の乳幼児保護具。
【考案の詳細な説明】
【技術分野】
【０００１】
本考案は、乳幼児の頭部等を保護するための乳幼児保護具に関する。
【背景技術】
【０００２】
乳幼児は、目が覚めているときには、床に尻をつけて座った姿勢（いわゆる「おすわり」の姿勢）でいることが多い。乳幼児の身体の中では頭部の占める重さが比較的大きいため、「おすわり」の状態からバランスを崩して、乳幼児の頭部が床に当たることがある。
【０００３】
なお、「おすわり」の状態から乳幼児の上半身が前方に倒れ込んだ場合、その頭部が床に強く当たる可能性は低い。なぜなら、前方に倒れそうになった場合、乳幼児自身が手を前について支えることができ、また、乳幼児の上半身が前方に屈曲する程度は限られているからである。
【０００４】
一方、「おすわり」の状態から乳幼児の上半身が後方に倒れ込んだ場合、その頭部が床に強く当たる可能性が高くなる。なぜなら、生まれて間もない乳幼児は、後ろに手をついて支えるほど身体能力が発達しておらず、後方にクッション等がない限り、そのまま後方に転げて頭部が床に強く当たってしまうからである。
なお、立つことができるようになった乳幼児に関しては、前記で説明した場合の他、立った状態からバランスを崩して後ろに倒れることもある。
【０００５】
例えば、乳幼児の後方にクッション等を置いておき、乳幼児が後方に倒れたときに、このクッションによって乳幼児の頭部を保護することが考えられる。しかしながら、乳幼児は動き回ることが多いため、前記したクッションでは乳幼児の頭部等を適切に保護できないことが多い。
また、ヘルメット型（帽子型）の保護具を乳幼児に被らせることも考えられる。しかしながら、前記した保護具を乳幼児が被り続けると発汗しやすく、乳幼児にとって不快に感じることが多い。このような問題に関して、例えば、以下に示す技術が開示されている。
【０００６】
すなわち、特許文献１には、クッションに紐を付け、乳幼児が背負うことができるようにした後頭部保護クッションについて記載されている。
【先行技術文献】
【特許文献】
【０００７】
【特許文献１】特開２００２−２０４７３６号公報
【考案の概要】
【考案が解決しようとする課題】
【０００８】
特許文献１に記載の技術では、「乳幼児が背負った時クッションが後頭部〜背中の上部に接するように」構成されている。そうすると、乳幼児の後頭部及び背中にクッションが常に接触した状態になるため、乳幼児が発汗しやすく、不快に感じるという問題がある。
【０００９】
なお、特許文献１に記載の後頭部保護クッションに、肩紐の長さを調整するための長さ調整具を追加し、乳幼児の背中等とクッションとの間に隙間を設けることも考えられる。しかしながら、このような構成ではクッションがずり落ちてしまうため、乳幼児の頭部等を適切に保護できなくなる。
【００１０】
そこで、本考案は、乳幼児の頭部等を適切に保護し、かつ、快適性の高い乳幼児保護具を提供することを課題とする。
【課題を解決するための手段】
【００１１】
前記した課題を解決するために、本考案に係る乳幼児保護具は、乳幼児の背中に当てられる背当て部と、前記背当て部に対して回動自在であり、乳幼児の後頭部を保護する後頭部保護部と、を有する保護体と、前記保護体を乳幼児に背負わせるための左右一対の背負紐と、それぞれの前記背負紐に設置され、前記背負紐の長さを調整するための長さ調整具と、を備え、それぞれの前記背負紐は、一端が前記背当て部に設置され、他端が前記後頭部保護部に設置され、前記背当て部には、一つ又は複数の孔が設けられていることを特徴とする。
【考案の効果】
【００１２】
本考案によれば、乳幼児の頭部等を適切に保護し、かつ、快適性の高い乳幼児保護具を提供できる。
【図面の簡単な説明】
【００１３】
【図１】本考案の一実施形態に係る乳幼児保護具を右前方から見下ろした斜視図である。
【図２】本考案の一実施形態に係る乳幼児保護具において、背負紐の長さと、後頭部保護部の角度と、の関係を示す右側面図である。
【図３】本考案の一実施形態に係る乳幼児保護具を乳幼児に装着した状態を示す説明図である。
【考案を実施するための形態】
【００１４】
以下、本考案の一実施形態に係る乳幼児保護具Ｓ（図１参照）について、図面を参照しつつ詳細に説明する。なお、図１、図３等に示すように、乳幼児保護具Ｓを装着する乳幼児自身を基準として、前後・左右・上下を定義する。
【００１５】
≪実施形態≫
＜乳幼児保護具の構成＞
図１は、本実施形態に係る乳幼児保護具Ｓを右前方から見下ろした斜視図である。
図１に示す乳幼児保護具Ｓは、乳幼児の頭部等を保護するためのものであり、保護体１と、背負紐２Ｌ，２Ｒと、長さ調整具３Ｌ，３Ｒと、被挿通部４Ｌ，４Ｒと、を備えている。
【００１６】
（１．保護体）
保護体１は、乳幼児の背中に当てられる背当て部１１と、乳幼児の後頭部を保護する後頭部保護部１２と、乳幼児の側頭部を保護する左右一対の側頭部保護部１３Ｌ，１３Ｒと、を備えている。
【００１７】
（１−１．背当て部）
背当て部１１は、前記したように、乳幼児の背中に当てられる部材である。また、背当て部１１は、後記する後頭部保護部１２を回動自在に支持する機能も有している。背当て部１１の材料として、弾性を有するポリエチレン、ポリウレタン（ウレタンフォーム）、ポリエステル、綿等を用いることができる。
【００１８】
図１に示す例では、背当て部１１は、概ね四角枠状を呈しており、その中央付近に孔Ｈが設けられている。これによって、乳幼児の背中において外気に触れる面積を大きく確保することができ、ひいては乳幼児の発汗を抑制できる。
【００１９】
また、背当て部１１の形状を四角枠状にすることで、この背当て部１１の左下の隅部に設置される背負紐２Ｌの一端Ｐと、後頭部保護部１２に設置される背負紐２Ｌの他端Ｑと、の距離を充分に確保できる（右側の背負紐２Ｒについても同様）。したがって、乳幼児保護具Ｓを乳幼児に装着した状態において、乳幼児の両脇に所定の余裕ができる。つまり、乳幼児にとって背負紐２Ｌ，２Ｒで締め付けられている感じはほとんどない。
【００２０】
背当て部１１の横幅は、乳幼児の背中の横幅程度にすることが好ましい。これによって、例えば、乳幼児が左斜め後方に倒れた場合でも、乳幼児の背中よりも先に背当て部１１（左側）が床面に着き、背当て部１１の弾性によって乳幼児の背中を保護できるからである。
背当て部１１の縦幅は、乳幼児保護具Ｓの装着性を考慮しつつ、背当て部１１によって乳幼児の背中全体を保護できるように設定されている。
背当て部１１の厚さ（例えば、約３ｃｍ）は、乳幼児が後方に転んだ場合に、その弾性によって乳幼児を適切に保護できるように設定されている。
【００２１】
背当て部１１は、例えば、スポンジ状のポリエチレン等を若干圧縮することで形成され、その断面形状を円形に近くすることが好ましい。これによって、背当て部１１が乳幼児の背中に接触する面積を小さくし、乳幼児の発汗を抑制して快適性を高めることができるからである。なお、背当て部１１に関して、圧縮せずとも所定の弾性（固さ）を有する材料を用いるのであれば、前記した圧縮を行う必要はない。
【００２２】
図１に示す孔Ｈの大きさは、乳幼児の背中（一部）を外気に晒して快適性を保つとともに、背当て部１１の弾性を損なわない程度に設定されている。ちなみに、孔Ｈの形状は矩形状に限定されず、他の形状（例えば、円形）であってもよい。
【００２３】
（１−２．後頭部保護部）
後頭部保護部１２は、乳幼児の後頭部を保護する機能を有しており、背当て部１１に対して回動自在に設置されている。例えば、背当て部１１と後頭部保護部１２とを並べた状態で、これらを布製の袋に収容し、背当て部１１と後頭部保護部１２との境界線に沿って、前記した袋が縫い合わされている。これによって、背当て部１１に対して後頭部保護部１２を回動自在に設置できる。
また、背当て部１１及び後頭部保護部１２を、肌ざわりのよい布（メッシュ地、タオル地等）で覆うことで、乳幼児保護具Ｓの快適性を高めることができる。なお、前記した布については、メッシュ地やタオル地に限定されず、通常の布を用いてもよい。
【００２４】
図１に示す例において後頭部保護部１２は、上側の左右隅部が面取りされ、丸みを帯びた形状を呈している。なお、図１では図示を省略したが、デザイン性を考慮して、後頭部保護部１２を覆う布に動物等（例えば、クマやウサギ）の絵柄をプリントしてもよいし、動物等の体の一部（例えば、クマやウサギの耳）に似せた形状の部材を後頭部保護部１２に縫い付けてもよい。後頭部保護部１２の材料として、前記した背当て部１１と同様、弾性を有するポリエチレン等を用いることができる。
後頭部保護部１２の大きさ（横幅・縦幅・厚さ）は、乳幼児が後方に転んだ場合に、後頭部保護部１２によって乳幼児の後頭部全体を充分に保護できるように設定されている。
【００２５】
（１−３．側頭部保護部）
左右一対の側頭部保護部１３Ｌ，１３Ｒは、乳幼児の側頭部を保護する機能を有しており、後頭部保護部１２の左右両側に設置されている。一方の側頭部保護部１３Ｌは後頭部保護部１２の左側に設置され、他方の側頭部保護部１３Ｒは後頭部保護部１２の右側に設置されている。
側頭部保護部１３Ｌ，１３Ｒの材料として、前記した背当て部１１及び後頭部保護部１２と同様、弾性を有するポリエチレン等を用いることができる。また、側頭部保護部１３Ｌ，１３Ｒも布で覆われており、後頭部保護部１２に縫い付けられている。
【００２６】
左側の側頭部保護部１３Ｌは、乳幼児保護具Ｓを乳幼児に装着させた状態において、乳幼児の左耳付近に位置するように、後頭部保護部１２の所定位置に設置されている（右側の側頭部保護部１３Ｒも同様）。
【００２７】
なお、側頭部保護部１３Ｌに力が作用していない状態において、側頭部保護部１３Ｌの前面と、後頭部保護部１２の前面と、がなす角は、９０°以上かつ１８０°未満（例えば、１４５°程度）であることが好ましい。これによって、側頭部保護部１３Ｌと、乳幼児の側頭部と、の間に隙間が設けられ、この隙間を介して空気が通り抜ける。したがって、乳幼児の発汗を抑制し、乳幼児保護具Ｓの快適性を高めることができる。
【００２８】
また、乳幼児が左側に転んだ場合でも、床面からの抗力で側頭部保護部１３Ｌが内側に寄り（つまり、後頭部保護部１２とのなす角が９０°に近づき）、幼児の側頭部と床面との間に側頭部保護部１３Ｌが介在した状態になる。したがって、弾性を有する側頭部保護部１３Ｌによって、乳幼児の左側の側頭部を適切に保護できる。また、右側の側頭部保護部１３Ｒと後頭部保護部１２とがなす角についても同様のことがいえる。
なお、側頭部保護部１３Ｌ，１３Ｒの大きさは、この側頭部保護部１３Ｌ，１３Ｒが乳幼児の視界に入らない程度にすることが好ましい。
【００２９】
（２．背負紐）
左右一対の背負紐２Ｌ，２Ｒは、前記した保護体１を乳幼児に背負わせるための紐体である。背負紐２Ｌ，２Ｒは布製であってもよいし、ポリプロピレン、ポリエステル、ナイロン等、比較的強度の高い材料を用いてもよい。
ちなみに、背負紐２Ｌ，２Ｒには、その形状が紐状である場合の他、帯状である場合も含まれる。例えば、乳幼児にとって背負紐２Ｌ，２Ｒが邪魔にならないよう、背負紐２Ｌ，２Ｒを幅２ｃｍ程度の細い帯状に形成してもよい。
また、接着性を有するシート状の芯材を背負紐２Ｌ，２Ｒの中に入れてもよい。これによって、乳幼児保護具Ｓの装着が容易になり、また、背負紐２Ｌ，２Ｒを乳幼児の体にしっかりとフィットさせることができる。
【００３０】
背負紐２Ｌ，２Ｒは、その一端Ｐが背当て部１１に設置され、他端Ｑが後頭部保護部１２に設置されている。より具体的には、左側の背負紐２Ｌの一端Ｐは、背当て部１１の左下隅部に縫い付けられている。また、背負紐２Ｌの他端Ｑは、後頭部保護部１２の前面の左下隅部の付近に縫い付けられている。右側の背負紐２Ｒについては、前記した左側の背負紐２Ｌと左右対称の位置に設けられているため、その説明を省略する。
なお、図１では一例として、背負紐２Ｌ，２Ｒの一端Ｐが背当て部１１の下部に設置される構成を図示したが、これに限定されない。すなわち、背負紐２Ｌ，２Ｒの一端Ｐを背当て部１１の側部に設置してもよい。
【００３１】
背負紐２Ｌ，２Ｒは、乳幼児が左右の腕を通して保護体１を背負った状態で、乳幼児の両脇を締め付けないように充分な長さを有している。なお、背負紐２Ｌ，２Ｒは、後記する長さ調整具３Ｌ，３Ｒによって、その長さが調整可能になっている。
【００３２】
（３．長さ調整具）
長さ調整具３Ｌは、左側の背負紐２Ｌの長さを調整するための部材であり、この背負紐２Ｌに設置されている。同様に、長さ調整具３Ｒは、右側の背負紐２Ｒの長さを調整するための部材であり、この背負紐２Ｒに設置されている。なお、背負紐２Ｌ，２Ｒの長さを調整可能であれば、長さ調整具３Ｌ，３Ｒの形状は限定されない。例えば、長さ調整具３Ｌ，３Ｒとして、周知のトリグライドを用いることができる。
【００３３】
（４．被挿通部）
左側の被挿通部４Ｌは、左側の背負紐２Ｌを挿通するためのものであり、背当て部１１の上端付近に設置されている。同様に、右側の被挿通部４Ｒは、右側の背負紐２Ｒを挿通するためのものであり、背当て部１１の上端付近に設置されている。
【００３４】
左側の被挿通部４Ｌは、例えば、扁平状の布製部材であり、前側から見ると細長の矩形状を呈している。そして、背負紐２Ｌの左右・前後方向の移動を規制し、また、上下方向の移動（後記する角度θの調整：図２参照）を許容するように、被挿通部４Ｌが背当て部１１に設置されている。
【００３５】
具体的には、背負紐２Ｌの他端Ｑが後頭部保護部１２に設置されている箇所の真下（背当て部１１の前面の左上隅部）に、被挿通部４Ｌが配置されている。そして、背負紐２Ｌを被挿通部４Ｌに挿通できるように、被挿通部４Ｌの左右両端が背当て部１１に縫い付けられている。なお、右側の被挿通部４Ｒについても同様である。
ちなみに、被挿通部４Ｌ，４Ｒとして樹脂等、他の材料を用いてもよいが、乳幼児の肌にやさしい布製にすることが好ましい。
【００３６】
左側の被挿通部４Ｌと、右側の被挿通部４Ｒと、の距離Ｘ１は、４ｃｍ以上かつ８ｃｍ以下であることが好ましい。
なお、被挿通部４Ｌ，４Ｒの距離Ｘ１が４ｃｍ未満である場合には、この距離Ｘ１が乳幼児の首の横幅よりも狭くなってしまう。そうすると、乳幼児保護具Ｓを装着した状態で被挿通部４Ｌ，４Ｒに左右方向外向きの余計な力が作用してしまう。また、乳幼児にとっては、その首に背負紐２Ｌ，２Ｒが接触することで不快に感じてしまう。
また、被挿通部４Ｌ，４Ｒの距離Ｘ１が８ｃｍよりも長い場合には、乳幼児保護具Ｓを装着した状態で、乳幼児の肩から背負紐２Ｌ，２Ｒが左右両側にずり落ちやすくなる。
したがって、前記したように、被挿通部４Ｌ，４Ｒの距離Ｘ１を４ｃｍ以上かつ８ｃｍ以下にすることが好ましい。
【００３７】
特に、被挿通部４Ｌ，４Ｒの距離Ｘ１を５ｃｍ以上かつ７ｃｍ以下の範囲内（例えば、６ｃｍ程度）に設定することが好ましい。この距離Ｘ１は、乳幼児の首の平均的な横幅よりも若干長いため、背負紐２Ｌ，２Ｒが乳幼児の首に接触して擦れたり、背負紐２Ｌ，２Ｒがずり落ちたりすることを確実に防止できるからである。
なお、被挿通部４Ｌ，４Ｒの距離Ｘ１は、前記した範囲に限定されず、４ｃｍ以下にしてもよい。例えば、互いに隣接するように被挿通部４Ｌ，４Ｒを設置し、距離Ｘ１を略ゼロｃｍにしてもよい。
【００３８】
＜背当て部の角度について＞
図２は、本実施形態に係る乳幼児保護具Ｓにおいて、背負紐２Ｌ，２Ｒの長さと、後頭部保護部１２の角度θと、の関係を示す右側面図である。なお、図２では、右側の側頭部保護部１３Ｒ（図１参照）の図示を省略した。
【００３９】
前記したように、背負紐２Ｌ，２Ｒは、その一端Ｐが背当て部１１に設置され、他端Ｑが後頭部保護部１２に設置されている。したがって、図２の矢印Ｍで示すように、背負紐２Ｌ，２Ｒを下方に引くと、矢印Ｎで示すように、後頭部保護部１２が回動して立ち上がる（角度θが小さくなる）。また、矢印Ｍとは逆向きに背負紐２Ｌ，２Ｒを緩めると、矢印Ｎとは逆向きに後頭部保護部１２が回動して大きく傾いた状態になる（角度θが大きくなる）。
このように、長さ調整具３Ｌ，３Ｒによって背負紐２Ｌ，２Ｒの長さを調整することで、後頭部保護部１２が傾く程度を変えることができるようになっている。
【００４０】
なお、背負紐２Ｌ，２Ｒを充分に緩めた場合、背当て部１１に対して後頭部保護部１２が４５°程度傾くように、後頭部保護部１２を回動自在に設置することが好ましい。これによって、図２に示す角度θの許容幅を大きく確保し、乳幼児の体型等を考慮して角度θ（つまり、背負紐２Ｌ，２Ｒの長さ）を調整できるからである。
ちなみに、乳幼児は、四つん這いになってハイハイする際、顔を前に向ける（つまり、俯向いた状態から顎を上げて前を見る）ことが多い。このような姿勢によって、乳幼児の後頭部が後頭部保護部１２に近づいた場合でも、この後頭部保護部１２が乳幼児の後頭部に密着しないように角度θを設定することが好ましい。
【００４１】
また、図１、図２に示すように、被挿通部４Ｌ，４Ｒによって背負紐２Ｌ，２Ｒの左右・前後方向の移動が規制されている。したがって、背負紐２Ｌ，２Ｒの長さ（つまり、角度θ）を調整する際、この背負紐２Ｌ，２Ｒ（被挿通部４Ｌ，４Ｒ付近）が左右・前後方向に移動することを防止し、前記した調整を容易に行うことができる。
なお、背負紐２Ｌ，２Ｒの長さは、乳幼児が動く（例えば、四つん這いになってハイハイする）ことで、背当て部１１が若干移動する程度にすることが好ましい。これによって、背当て部１１が乳幼児の背中に常時密着することを防止し、乳幼児の発汗等を抑制できるからである。
【００４２】
＜効果＞
図３は、本実施形態に係る乳幼児保護具Ｓを乳幼児に装着した状態を示す説明図である。図３に示す状態から、乳幼児が後方に転んだ場合でも、背当て部１１によって乳幼児の背中を保護し、後頭部保護部１２によって乳幼児の後頭部を保護できる。また、乳幼児が左右方向の片側に傾いた状態で転んだとしても、側頭部保護部１３Ｌ，１３Ｒによって乳幼児の側頭部を保護できる。
また、乳幼児が、立った状態からバランスを崩して後方又は側方に倒れた場合でも、乳幼児保護具Ｓによって乳幼児の頭部等を適切に保護できる。
【００４３】
また、背負紐２Ｌ，２Ｒの長さを調整することで後頭部保護部１２の角度θ（図２参照）を調整でき、後頭部保護部１２と乳幼児の後頭部との間に隙間を設けることができる。また、後頭部保護部１２と、側頭部保護部１３Ｌ，３１Ｒと、がなす角は、前記したように、９０°よりも大きい。したがって、側頭部保護部１３Ｌ，１３Ｒと乳幼児の側頭部（耳の付近）との間にも隙間を設けることができる。
【００４４】
このように、背当て部１１及び背負紐２Ｌ，２Ｒは乳幼児の体に接触しているが、後頭部保護部１２及び側頭部保護部１３Ｌ，１３Ｒは乳幼児の体に接触していない。さらに、背当て部１１には孔Ｈが設けられているため、この孔Ｈを介して乳幼児の背中の一部が外気に晒されている。
したがって、本実施形態によれば、乳幼児保護具Ｓが乳幼児の体に接触する面積を最小限にとどめ、風通しをよくして乳幼児の発汗を抑え、その快適性を高めることができる。
【００４５】
また、被挿通部４Ｌ，４Ｒを設けることで、背負紐２Ｌ，２Ｒ（被挿通部４Ｌ，４Ｒ付近）が前後・左右方向にぶれることを防止し、後頭部保護部１２の角度θ（図２参照）を容易に調整できる。
また、乳幼児が動いた際に背当て部１１が若干移動するように背負紐２Ｌ，２Ｒの長さを適宜調整することで、乳幼児の背中に背当て部１１が常時密着することを防止し、乳幼児の発汗を抑制できる。
【００４６】
また、バランスを崩して後方に倒れる際、乳幼児は、バランスを持ち直そうとして腕を上げる（自分の胴体の軸線に対して略垂直に腕を持ち上げる）ことが多い。そうすると、背負紐２Ｌ，２Ｒを介して後頭部保護部１２が前方に移動し、角度θが小さくなって（図２参照）、後頭部保護部１２が乳幼児の後頭部に密着した状態になる。つまり、後頭部保護部１２が床面に当たる瞬間には、後頭部保護部１２が乳幼児の後頭部に密着した状態になっている。したがって、後頭部保護部１２によって乳幼児の後頭部を適切に保護できる。
【００４７】
また、背当て部１１、後頭部保護部１２、及び側頭部保護部１３Ｌ，１３Ｒとして、クッション性を有する軽量のポリエチレン等を用いているため、乳幼児にとって重量感はほとんどなく、仮に一日中装着していても乳幼児にとって負担にはならない。
このように、本実施形態によれば、乳幼児の頭部等を適切に保護し、かつ、快適性の高い乳幼児保護具Ｓを提供できる。
【００４８】
≪変形例≫
以上、本考案に係る乳幼児保護具Ｓについ実施形態により説明したが、本考案はこれらの記載に限定されるものではなく、種々の変更を行うことができる。
例えば、実施形態では、背当て部１１に一つの孔Ｈを設ける場合について説明したが、これに限らない。すなわち、背当て部１１に複数の孔を設けてもよい。
また、実施形態では、後頭部保護部１２に孔を設けない場合について説明したが、これに限らない。すなわち、後頭部保護部１２に一つ又は複数の孔を設けてもよい。
【００４９】
また、実施形態では、背当て部１１と、後頭部保護部１２と、側頭部保護部１３Ｌ，１３Ｒと、を別体にする場合について説明したが、これに限らない。すなわち、ポリエチレン等の弾性を有する材料を用いて、保護体１（背当て部１１、後頭部保護部１２、及び側頭部保護部１３Ｌ，１３Ｒ）を一体形成してもよい。この場合、背当て部１１と後頭部保護部１２との境界、及び後頭部保護部１２と側頭部保護部１３Ｌ，１３Ｒとの境界に、ミシン等で縫い目を付けることによって各部材が回動可能になる。
【００５０】
また、実施形態では、乳幼児保護具Ｓが左右一対の側頭部保護部１３Ｌ，１３Ｒを備える場合について説明したが、これに限らない。すなわち、実施形態で説明した構成から側頭部保護部１３Ｌ，１３Ｒを省略してもよい。このような構成でも、背当て部１１及び後頭部保護部１２によって乳幼児の頭部等を適切に保護できる。
【００５１】
また、実施形態では、乳幼児保護具Ｓが左右一対の被挿通部４Ｌ，４Ｒを備える場合について説明したが、これに限らない。すなわち、実施形態で説明した構成から被挿通部４Ｌ，４Ｒを省略してもよい。このような構成でも、長さ調整具３Ｌ，３Ｒによって背負紐２Ｌ，２Ｒの長さを調整することで、後頭部保護部１２の角度θ（図２参照）を適度な大きさに調整できる。
【符号の説明】
【００５２】
Ｓ  乳幼児保護具
１  保護体
１１  背当て部
１２  後頭部保護部
１３Ｌ，１３Ｒ  側頭部保護部
２Ｌ，２Ｒ  背負紐
３Ｌ，３Ｒ  長さ調整具
４Ｌ，４Ｒ  被挿通部
Ｈ  孔
Ｐ  一端
Ｑ  他端
Ｘ１  距離
【図１】
0003195113.tif 000003
【図２】
0003195113.tif 000004
【図３】
0003195113.tif 000005